(57)【要約】【課題】この発明は、コンクリート含浸剤の散布量を容易に計測でき、正確な散布量を求めることができ、散布量を適切に管理することができるコンクリート含浸剤の散布検査用収集具を提供することを目的とする。【解決手段】この発明は、コンクリート構造物の表面に散布されるコンクリート含浸剤の散布量を検査するコンクリート含浸剤の散布検査用収集具において、散布検査用収集具は、散布されるコンクリート含浸剤を集める収集部と、収集部に集めたコンクリート含浸剤を測る計量部とからなり、収集部は、散布されるコンクリート含浸剤を集める収集空間を備え、計量部は、収集空間に集めたコンクリート含浸剤の容量を測る目盛りを備えることを特徴とする。【選択図】図１
2015169587.tif 000002
【特許請求の範囲】
【請求項１】
コンクリート構造物の表面に散布されるコンクリート含浸剤の散布量を検査するコンクリート含浸剤の散布検査用収集具において、
前記散布検査用収集具は、散布されるコンクリート含浸剤を集める収集部と、前記収集部に集めたコンクリート含浸剤を測る計量部とからなり、
前記収集部は、散布されるコンクリート含浸剤を集める収集空間を備え、
前記計量部は、前記収集空間に集めたコンクリート含浸剤の容量を測る目盛りを備えることを特徴とするコンクリート含浸剤の散布検査用収集具。
【請求項２】
前記散布検査用収集具は、前記コンクリート構造物の床の表面に散布されるコンクリート含浸剤を集める収集部と、前記収集部に集めたコンクリート含浸剤を測る計量部とからなり、
前記収集部は、散布されるコンクリート含浸剤を受ける受け部材と、前記受け部材を囲む囲み部材とによって形成されるとともに、前記受け部材と前記囲み部材とによって囲まれた散布されるコンクリート含浸剤を集める収集空間を備え、
前記受け部材は、前記コンクリート構造物の床の表面に着脱可能に取り付けられ、
前記囲み部材は、前記計量部が接続される接続孔を備え、
前記計量部は、前記囲み部材の接続孔に接続される有底円筒状の透明部材によって形成され、
前記透明部材は、前記収集空間に集めたコンクリート含浸剤が流入する計量空間を備えるとともに、前記計量空間に流入したコンクリート含浸剤の容量を計測する目盛りを備えることを特徴とする請求項１に記載のコンクリート含浸剤の散布検査用収集具。
【請求項３】
前記散布検査用収集具は、前記コンクリート構造物の壁の表面に散布されるコンクリート含浸剤を集める収集部と、前記収集部に集めたコンクリート含浸剤を測る計量部とからなり、
前記収集部は、散布されるコンクリート含浸剤を受ける受け部材と、前記受け部材を囲む囲み部材と、前記囲み部材の周縁から突出されて前記受け部材の一部を覆う覆い部材とによって形成されるとともに、前記受け部材と前記囲み部材と前記覆い部材とによって囲まれた散布されるコンクリート含浸剤を集める収集空間を備え、
前記受け部材は、前記コンクリート構造物の壁の表面に前記覆い部材が下側に位置する姿勢で着脱可能に取り付けられ、
前記囲み部材は、前記計量部が接続される接続孔を備え、
前記計量部は、前記囲み部材の接続孔に接続される有底円筒状の透明部材によって形成され、
前記透明部材は、前記収集空間に集めたコンクリート含浸剤が流入する計量空間を備えるとともに、前記計量空間に流入したコンクリート含浸剤の容量を計測する目盛りを備えることを特徴とする請求項１に記載のコンクリート含浸剤の散布検査用収集具。
【請求項４】
前記散布検査用収集具は、前記コンクリート構造物の天井の表面に散布されるコンクリート含浸剤を集める収集部と、前記収集部に集められたコンクリート含浸剤を測る計量部とからなり、
前記収集部は、散布されるコンクリート含浸剤を受ける受け部材と、前記受け部材を囲む囲み部材と、前記囲み部材の周縁から突出されて前記受け部材の一部を覆う覆い部材と、前記コンクリート構造物の天井および前記受け部材間に介装される傾斜部材とによって形成されるとともに、前記受け部材と前記囲み部材と前記覆い部材とによって囲まれた散布されるコンクリート含浸剤を集める収集空間を備え、
前記受け部材は、前記コンクリート構造物の天井の表面に前記覆い部材が下側に位置する姿勢で前記傾斜部材により傾斜して着脱可能に取り付けられ、
前記囲み部材は、前記計量部を接続する接続孔を備え、
前記計量部は、前記囲み部材の接続孔に接続される有底円筒状の透明部材によって形成され、
前記透明部材は、前記収集空間に集めたコンクリート含浸剤が流入する計量空間を備えるとともに、前記計量空間に流入したコンクリート含浸剤の容量を計測する目盛りを備えることを特徴とする請求項１に記載のコンクリート含浸剤の散布検査用収集具。
【請求項５】
前記囲み部材には、前記接続孔に向かって傾斜する傾斜面を形成したことを特徴とする請求項４に記載のコンクリート含浸剤の散布検査用収集具。
【発明の詳細な説明】
【技術分野】
【０００１】
この発明はコンクリート含浸剤の散布検査用収集具に係り、特に、コンクリート構造物の表面に散布されるコンクリート含浸剤の散布量を管理するためのコンクリート含浸剤の散布検査用収集具に関するものである。
【背景技術】
【０００２】
コンクリートは、表面の毛細孔や亀裂から、大気中の水分、二酸化炭素、塩化物イオン等が内部に拡散することで劣化を招き、強度が損なわれる。コンクリートの劣化を抑制する技術には、特許第３２０４９３１号公報に、コンクリート構造物の表面にけい酸カリウム等を含有する液状のコンクリート含浸剤を散布する技術が開示されている。
【０００３】
また、コンクリート含浸剤は、コンクリート構造物の劣化度合いを勘案して散布しなければならないため、散布量が適切であるかを検査する必要がある。コンクリート含浸剤の散布量を検査する技術には、特許第５０１５６６７号公報に、ｐＨ指示薬が含浸されたマットを予め施工面に張り付けておき、コンクリート含浸剤の散布後におけるマットのｐＨ指示薬の変色で散布が実施されたかを判断するとともに、コンクリート含浸剤の散布前後におけるマットの重量変化から散布量を求める技術が開示されている。
【先行技術文献】
【特許文献】
【０００４】
【特許文献１】特許第３２０４９３１号公報
【特許文献２】特許第５０１５６６７号公報
【発明の概要】
【発明が解決しようとする課題】
【０００５】
ところで、前記特許文献２では、コンクリート含浸剤の散布の前と後とにおいてそれぞれマットの重量を秤量し、コンクリート含浸剤を吸収したマットの重量変化からコンクリート含浸剤の散布量を求めている。
したがって、特許文献２は、コンクリート含浸剤の散布量を直接的に計測せず、重量から散布量を間接的に推定する技術であるため、正確な散布量を容易に求めることが困難であり、コンクリート含浸剤の散布量を適切に管理し難い問題があった。
【０００６】
そこで、この発明は、コンクリート含浸剤の散布量を容易に計測でき、正確な散布量を求めることができ、散布量を適切に管理することができるコンクリート含浸剤の散布検査用収集具を提供することを目的とする。
【課題を解決するための手段】
【０００７】
この発明は、コンクリート構造物の表面に散布されるコンクリート含浸剤の散布量を検査するコンクリート含浸剤の散布検査用収集具において、前記散布検査用収集具は、散布されるコンクリート含浸剤を集める収集部と、前記収集部に集めたコンクリート含浸剤を測る計量部とからなり、前記収集部は、散布されるコンクリート含浸剤を集める収集空間を備え、前記計量部は、前記収集空間に集めたコンクリート含浸剤の容量を測る目盛りを備えることを特徴とする。
【発明の効果】
【０００８】
この発明は、コンクリート構造物の表面に散布されるコンクリート含浸剤を収集部の収集空間に集め、集めたコンクリート含浸剤を計量部の目盛りによって測ることができる。
これにより、この発明は、コンクリート含浸剤の散布量を容易に計測でき、正確な散布量を求めることができ、コンクリート含浸剤の散布量を適切に管理することができる。
【図面の簡単な説明】
【０００９】
【図１】図１は散布検査用収集具の平面図である。（実施例１）
【図２】図２は図１のＡ−Ａ線による断面図である。（実施例１）
【図３】図３は散布検査用収集具の正面図である。（実施例２）
【図４】図４は図３のＢ−Ｂ線による断面図である。（実施例２）
【図５】図５は散布検査用収集具の底面図である。（実施例３）
【図６】図６は図５のＣ−Ｃ線による断面図である。（実施例３）
【図７】図７は計量部の変形例を示す断面図である。（変形例１）
【図８】図８は収集部の変形例を示す正面図である。（変形例２）
【発明を実施するための形態】
【００１０】
以下、図面に基づいて、この発明の実施例を説明する。
【実施例１】
【００１１】
図１・図２は、この発明の実施例１を示すものである。図１・図２において、コンクリート構造物１の床２の表面３には散布されるコンクリート含浸剤は、けい酸ナトリウム・けい酸カリウムを主成分とする粒子コロイドの無色の液体であり、コンクリート構造物１の毛細孔や空隙に浸透して隙間を充填し、その後、水酸化カルシウムと反応して保護効果を発揮する。コンクリート含浸剤は、粒子コロイドの物理的作用と化学反応の相乗効果によってコンクリート表層部を保護し、長寿命化を果たすことができる。
コンクリート構造物１の床２の表面３に散布されるコンクリート含浸剤の散布量を検査する散布検査用収集具４は、床２の表面３に散布されるコンクリート含浸剤を集める収集部５と、収集部５に集めたコンクリート含浸剤を測る計量部６とからなる。収集部５と計量部６とは、可撓性を有する合成樹脂や耐水コーティングを施した紙などの材料から形成することができる。
【００１２】
前記収集部５は、散布されるコンクリート含浸剤を受ける円板状の受け部材７と、受け部材７を囲む短円筒状の囲み部材８とによって形成される。収集部５は、受け部材７と囲み部材８とによって囲まれた、散布されるコンクリート含浸剤を集める収集空間９を備えている。受け部材７は、コンクリート構造物１の床２の表面３に、収集空間９を上方に向けて、着脱可能に取り付けられる。
囲み部材８は、計量部６が接続される接続孔１０を備えている。接続孔１０は、床２の表面３に散布検査用収集具４を取り付けた状態で、受け部材７の上面１１に接する囲み部材８の最下部の位置に形成している。
収集部５は、コンクリート構造物１の床２の保護効果を発揮するために必要なコンクリート含浸剤の散布量（例えば、１平方メートル当たりに２２０グラム）を検査できるように、囲み部材８で囲まれる受け部材７の表面積が所定の収集面積（例えば、１０平方センチメートル）に形成される。
【００１３】
前記計量部６は、囲み部材８の接続孔１０に接続される有底円筒状の透明部材１２によって形成される。透明部材１２は、一端側に接続孔１０に接続される接続部１３を備え、一端側に開口して他端側を閉塞する計量空間１４を備えている。接続部１３は、例えば、接続孔１０にねじ係合や圧入嵌合により接続される。透明部材１２は、接続部１３を接続孔１０に接続することで、計量空間１４を収集部５の収集空間９に連通する。計量空間１４には、収集空間９に集めたコンクリート含浸剤が流入する。また、透明部材１２は、計量空間１４に流入したコンクリート含浸剤の容量を計測する目盛り１５を備えている。計量空間１４は、流入したコンクリート含浸剤を計測できる所定の容量（例えば、２〜３ミリリットル）を有している。
【００１４】
次に、散布検査用収集具４によるコンクリート含浸剤の散布量の検査を説明する。
コンクリート構造物１の床２の表面３に散布されるコンクリート含浸剤の散布量を検査する場合、まず、散布検査用収集具４の収集部５の受け部材７を床２の表面３に、取付材１６により着脱可能に取り付ける。散布検査用収集具４は、コンクリート含浸剤を散布する表面３の散布量の検査に適した位置に取り付け、また、表面３の面積に応じて複数の位置に取り付ける。取付材１６は、散布検査用収集具４を取り外した際に、床２の表面３に傷ができないような接着剤や粘着剤が望ましい。
散布検査用収集具４を取り付けた後、床２の表面３にコンクリート含浸剤を噴霧装置１７（例えば、スプレーガンなど）によって散布する。散布されたコンクリート散布剤は、床２の表面３に付着してコンクリート内部に浸透し、コンクリート構造物１の毛細孔や空隙を充填し、水酸化カルシウムと反応して保護効果を発揮する。
また、散布されたコンクリート散布剤は、散布検査用収集具４の収集部５を形成する受け部材７に付着し、収集空間９の受け部材７上に集まる。コンクリート構造物１の床２の保護に必要な量のコンクリート含浸剤の散布が終了した後、収集空間７の受け部材７上に集まったコンクリート散布剤は、床２の表面３から散布検査用収集具４を取り外し、計量部６が最下部に位置する姿勢にすることで、計量部６の計量空間１４に流入する。計量空間１４に流入したコンクリート含浸剤は、計量部６の目盛り１５を読み取ることで、集めた容量を計測することができる。なお、取り外した散布検査用収集具４は、清掃することで、再度の使用が可能になる。
【００１５】
このように、コンクリート含浸剤の散布検査用収集具４は、コンクリート構造物１の床２の表面３に散布されたコンクリート含浸剤を収集部５の収集空間９に集め、集めたコンクリート含浸剤の容量を計量部６の目盛り１５によって測ることができる。
これにより、散布検査用収集具４は、コンクリート含浸剤の散布量を容易に計測でき、正確な散布量を求めることができ、コンクリート含浸剤の散布量を適切に管理することができる。
【実施例２】
【００１６】
図３・図４は、この発明の実施例２を示すものである。図３・図４において、コンクリート構造物２１の床２２の表面２３には散布されるコンクリート含浸剤は、けい酸ナトリウム・けい酸カリウムを主成分とする粒子コロイドの無色の液体であり、粒子コロイドの物理的作用と化学反応の相乗効果によってコンクリート表層部を保護し、長寿命化を果たすことができる。
コンクリート構造物２１の壁２２の表面２３に散布されるコンクリート含浸剤の散布量を検査する散布検査用収集具２４は、壁２２の表面２３に散布されるコンクリート含浸剤を集める収集部２５と、収集部２５に集めたコンクリート含浸剤を測る計量部２６とからなる。収集部２５と計量部２６とは、可撓性を有する合成樹脂や耐水コーティングを施した紙などの材料から形成することができる。
【００１７】
前記収集部２５は、散布されるコンクリート含浸剤を受ける円板状の受け部材２７と、受け部材２７を囲む短円筒状の囲み部材２８と、囲み部材２８の先端側の周縁から突出されて受け部材２７の一部を覆うように幅の狭い三日月状の覆い部材２９とによって形成される。収集部２５は、受け部材２７と囲み部材２８と覆い部材２９とによって囲まれた、散布されるコンクリート含浸剤を集める収集空間３０を備えている。
受け部材３７は、コンクリート構造物２１の壁２２の表面２３に、収集空間３０を側方に向け、且つ覆い部材２９の最大幅部分３１が下側に位置する姿勢で、着脱可能に取り付けられる。囲み部材２８は、計量部２６が接続される接続孔３２を備えている。接続孔３２は、壁２２の表面２３に散布検査用収集具２４を取り付けた状態で、受け部材２７と覆い部材２９の最大幅部分３１とに挟まれる囲み部材２８の最下部の位置に形成している。
収集部２５は、コンクリート構造物２１の壁２２の保護効果を発揮するために必要なコンクリート含浸剤の散布量（例えば、１平方メートル当たりに２２０グラム）を検査できるように、囲み部材２８で囲まれるとともに覆い部材２９で覆われていない受け部材２７の表面積が所定の収集面積（例えば、１０平方センチメートル）に形成される。
【００１８】
前記計量部２６は、囲み部材２８の接続孔３２に接続される有底円筒状の透明部材３３によって形成される。透明部材３３は、一端側に接続孔３２に接続される接続部３４を備え、一端側に開口して他端側を閉塞した計量空間３５を備えている。接続部３４は、例えば、接続孔３２にねじ係合や圧入嵌合により接続される。透明部材３３は、接続部３４を接続孔３２に接続することで、計量空間３５を収集部２５の収集空間３０に連通する。計量空間３５には、収集空間３０に集めたコンクリート含浸剤が流入する。また、透明部材３３は、計量空間３５に流入したコンクリート含浸剤の容量を計測する目盛り３６を備えている。計量空間３５は、流入したコンクリート含浸剤を計測できる所定の容量（例えば、２〜３ミリリットル）を有している。
【００１９】
次に、散布検査用収集具２４によるコンクリート含浸剤の散布量の検査を説明する。
コンクリート構造物２１の壁２２の表面２３に散布されるコンクリート含浸剤の散布量を検査する場合、まず、散布検査用収集具２４の収集部２５の受け部材２７を壁２２の表面２３に、覆い部材２９の最大幅部分３１が下側に位置する姿勢で、取付材３７により着脱可能に取り付ける。散布検査用収集具２４は、コンクリート含浸剤を散布する表面２３の散布量の検査に適した位置に取り付け、また、表面２３の面積に応じて複数の位置に取り付ける。取付材３７は、散布検査用収集具２４を取り外した際に、壁２２の表面２３に傷ができないような接着剤や粘着剤が望ましい。
散布検査用収集具２４を取り付けた後、壁２２の表面２３にコンクリート含浸剤を噴霧装置３８（例えば、スプレーガンなど）によって散布する。散布されたコンクリート散布剤は、壁２２の表面２３に付着してコンクリート内部に浸透し、コンクリート構造物２１の毛細孔や空隙を充填し、水酸化カルシウムと反応して保護効果を発揮する。
また、散布されたコンクリート散布剤は、散布検査用収集具２４の収集部２５を形成する受け部材２７に付着し、収集空間３０の下部の受け部材２７と覆い部材２９の最大幅部分３１とに挟まれる囲み部材２８上に集まる。収集空間３０の下部の囲み部材２８上に集まったコンクリート散布剤は、計量部２６の計量空間３５に流入する。コンクリート構造物２１の壁２２の保護に必要な量のコンクリート含浸剤の散布が終了した後、計量空間３５に流入したコンクリート含浸剤は、計量部２６の目盛り３６を読み取ることで、集めた容量を計測することができる。なお、コンクリート含浸剤の散布終了後、散布検査用収集具４は、取り外して清掃することで、再度の使用が可能になる。
【００２０】
このように、コンクリート含浸剤の散布検査用収集具２４は、コンクリート構造物２１の壁２２の表面２３に散布されたコンクリート含浸剤を収集部２５の収集空間３０に集め、集めたコンクリート含浸剤の容量を計量部２６の目盛り３６によって測ることができる。
これにより、散布検査用収集具２４は、コンクリート含浸剤の散布量を容易に計測でき、正確な散布量を求めることができ、コンクリート含浸剤の散布量を適切に管理することができる。
【実施例３】
【００２１】
図５・図６は、この発明の実施例３を示すものである。図５・図６において、コンクリート構造物４１の天井４２の表面４３には散布されるコンクリート含浸剤は、けい酸ナトリウム・けい酸カリウムを主成分とする粒子コロイドの無色の液体であり、粒子コロイドの物理的作用と化学反応の相乗効果によってコンクリート表層部を保護し、長寿命化を果たすことができる。
コンクリート構造物４１の天井４２の表面４３に散布されるコンクリート含浸剤の散布量を検査する散布検査用収集具４４は、天井４２の表面４３に散布されるコンクリート含浸剤を集める収集部４５と、収集部４５に集めたコンクリート含浸剤を測る計量部４６とからなる。収集部４５と計量部４６とは、可撓性を有する合成樹脂や耐水コーティングを施した紙などの材料から形成することができる。
【００２２】
前記収集部４５は、散布されるコンクリート含浸剤を受ける円板状の受け部材４７と、受け部材４７を囲む短円筒状の囲み部材４８と、囲み部材４８の先端側の周縁から突出されて受け部材４７の一部を覆う幅の広い三日月状の覆い部材４９と、コンクリート構造物４１の天井４２および受け部材４７間に介装される傾斜部材５０とによって形成される。収集部４５は、受け部材４７と囲み部材４８と覆い部材４９とによって囲まれた、散布されるコンクリート含浸剤を集める収集空間５１を備えている。
受け部材４７は、コンクリート構造物４１の天井４２の表面４３に、収集空間５１を下方に向け、且つ覆い部材４９の最大幅部分５２が最下部に位置する姿勢で、傾斜部材５０により傾斜して着脱可能に取り付けられる。囲み部材４８は、計量部４６が接続される接続孔５３を備えている。接続孔５３は、天井４２の表面４３に散布検査用収集具４４を傾斜して取り付けた状態で、受け部材４７と覆い部材４９の最大幅部分５２とに挟まれる囲み部材４８の最下部の位置（覆い部材４９側）に形成している。
収集部４５は、コンクリート構造物４１の天井４２の保護効果を発揮するために必要なコンクリート含浸剤の散布量（例えば、１平方メートル当たりに２２０グラム）を検査できるように、囲み部材４８で囲まれるとともに覆い部材４９で覆われていない受け部材４７の表面積が所定の収集面積（例えば、１００平方センチメートル）に形成される。
【００２３】
前記計量部４６は、囲み部材４８の接続孔５３に接続される有底円筒状の透明部材５４によって形成される。透明部材５４は、一端側に接続孔５３に接続される接続部５５を備え、一端側に開口して他端側を閉塞する計量空間５６を備えている。接続部５５は、例えば、接続孔５３にねじ係合や圧入嵌合により接続される。透明部材５４は、接続部５５を接続孔５３に接続することで、計量空間５６を収集部４５の収集空間５１に連通する。計量空間５６には、収集空間５１に集めたコンクリート含浸剤が流入する。また、透明部材５４は、計量空間５６に流入したコンクリート含浸剤の容量を計測する目盛り５７を備えている。計量空間５６は、流入したコンクリート含浸剤を計測できる所定の容量（例えば、２〜３ミリリットル）を有している。
【００２４】
次に、散布検査用収集具４４によるコンクリート含浸剤の散布量の検査を説明する。
コンクリート構造物４１の天井４２の表面４３に散布されるコンクリート含浸剤の散布量を検査する場合、まず、散布検査用収集具４４の収集部４５の受け部材４７を天井４２の表面４３に、傾斜部材５０を介して覆い部材４９の最大幅部分５２が最下部に位置する姿勢で、取付材５８により着脱可能に取り付ける。散布検査用収集具４４は、コンクリート含浸剤を散布する表面４３の散布量の検査に適した位置に取り付け、また、表面４３の面積に応じて複数の位置に取り付ける。取付材５８は、散布検査用収集具４４を取り外した際に、天井４の表面４３に傷ができないような接着剤や粘着剤が望ましい。
散布検査用収集具４４を取り付けた後、天井４２の表面４３にコンクリート含浸剤を噴霧装置５９（例えば、スプレーガンなど）によって散布する。散布されたコンクリート散布剤は、天井４２の表面４３に付着してコンクリート内部に浸透し、コンクリート構造物４１の毛細孔や空隙を充填し、水酸化カルシウムと反応して保護効果を発揮する。
また、散布されたコンクリート散布剤は、散布検査用収集具４４の収集部４５を形成する受け部材４７に付着し、収集空間５１の傾斜した下部の覆い部材４９の最大幅部分５２上に集まる。覆い部材４９の最大幅部分５２上に集まったコンクリート散布剤は、計量部４６の計量空間５６に流入する。コンクリート構造物４１の壁４２の保護に必要な量のコンクリート含浸剤の散布が終了した後、計量空間５６に流入したコンクリート散布剤は、天井４２の表面４３から散布検査用収集具４４を取り外して計量部４６を垂直下方に延びる姿勢にし、計量部６の目盛り１５を読み取ることで、集めた容量を計測することができる。なお、コンクリート含浸剤の散布終了後、散布検査用収集具４４は、取り外して清掃することで、再度の使用が可能になる。
【００２５】
このように、コンクリート含浸剤の散布検査用収集具４４は、コンクリート構造物４１の天井４２の表面４３に散布されたコンクリート含浸剤を収集部４５の収集空間５１に集め、集めたコンクリート含浸剤の容量を計量部４６の目盛り５７によって測ることができる。
これにより、散布検査用収集具４４は、コンクリート含浸剤の散布量を容易に計測でき、正確な散布量を求めることができ、コンクリート含浸剤の散布量を適切に管理することができる。
【００２６】
収集部４５の囲み部材４８には、天井４２の表面４３に散布検査用収集具４４を傾斜して取り付けた状態で、受け部材４７と覆い部材４９の最大幅部分５２とに挟まれる囲み部材４８の最下部の位置に接続孔５３を形成したが、図７に示すように構成することもできる。図７において、囲み部材４８には、収集空間５１に臨む内面に接続孔５３に向かって傾斜する傾斜面６０を形成している。
これにより、散布検査用収集具４４は、収集部４５の受け部材４７に付着して傾斜下方に流れるコンクリート散布剤を、傾斜面６０によって囲み部材４８の接続孔５３に向かって集めるように流すことができ、集めたコンクリート散布剤を計量部４６の計量空間５６に積極的に流入させ、目盛り５７によって容量を計測することができる。
また、収集部４５の計量部４６は、天井４２の表面４３に散布検査用収集具４４を傾斜して取り付けた状態で、計量部４６を形成する有底円筒状の透明部材５４が傾斜する収集部４５に対して垂直下方に延びるように、透明部材５４の一端側の接続部５５を折曲して形成することもできる。
これにより、散布検査用収集具４４は、透明部材５４が垂直下方に延びるので、散布検査用収集具４４を取り外すことなく、目盛り５７によって集めたコンクリート散布剤の容量を正確に読み取ることができる。
【００２７】
なお、上述各実施例１〜３においては、収集部５、２５、４５を円形状に形成したが、コンクリート含浸剤を集めることができる形状であれば、菱形形状や逆三角形状、楕円形状などでもよい。
そして、図８に示すように、収集部２５、４５が円形状の場合、囲み部材２８、４８の周縁から突出される覆い部材２９、４９の形状を、受け部材２７、４７の半分を覆う半円形状とすることで、覆い部材２９、４９で覆われていない受け部材２７、４７の表面積を所定の収集面積（例えば、１０平方センチメートル）に設定することが容易であり、収集部２５、４５の作成を簡略化できる。
【産業上の利用可能性】
【００２８】
この発明は、コンクリート含浸剤の散布量を容易に計測でき、正確な散布量を求めることができ、散布量を適切に管理することができるものであり、コンクリート含浸剤に限らず、各種の液体の散布量の管理に応用することができる。
【符号の説明】
【００２９】
１  コンクリート構造物
２  床
３  表面
４  散布検査用収集具
５  収集部
６  計量部
７  受け部材
８  囲み部材
９  収集空間
１０  接続孔
１１  上面
１２  透明部材
１３  接続部
１４  計量空間
１５  目盛り
１６  取付材
１７  噴霧装置
【図１】
2015169587.tif 000003
【図２】
2015169587.tif 000004
【図３】
2015169587.tif 000005
【図４】
2015169587.tif 000006
【図５】
2015169587.tif 000007
【図６】
2015169587.tif 000008
【図７】
2015169587.tif 000009
【図８】
2015169587.tif 000010